(57)【要約】  物品を汚染除去する方法であって次のステップが含まれる。すなわち、（ａ）既知温度の複数の物品を第１の通路に沿って移動させ、（ｂ）細長いプレナムを含む第２の通路に沿ってキャリヤガスを搬送し、第２の通路はプレナムより下流で第１の通路に交差し、（ｃ）キャリヤガスをプレナムの上流位置で少なくとも約１０５℃に加熱し、（ｄ）プレナムにおいてキャリヤガスに既知濃度の液体過酸化水素の噴霧ミストを注入し、（ｅ）（１）第２の通路に沿うキャリヤガスの容積流量と、（２）キャリヤガスに注入される過酸化水素の容積と、（３）第１の通路が第２の通路と交差する箇所のキャリヤガス中の蒸気過酸化水素の濃度が物品の既知温度より低い露点温度をもつようにプレナム内に注入されるキャリヤガスの温度とを制御するステップが含まれる。【選択図】図１
2009535215.tif 000002
【特許請求の範囲】
【請求項１】
物品を汚染除去する方法であって、
（ａ）既知温度の複数の物品を第１の通路に沿って移動させ、
（ｂ）細長いプレナムを含む第２の通路に沿ってキャリヤガスを搬送し、前記第２の通路は前記プレナムより下流で前記第１の通路に交差し、
（ｃ）前記キャリヤガスを前記プレナムの上流位置で少なくとも約１０５℃に加熱し、
（ｄ）前記プレナムにおいて前記キャリヤガスに既知濃度の液体過酸化水素の噴霧ミストを注入し、
（ｅ）（１）前記第２の通路に沿うキャリヤガスの容積流量と、（２）前記キャリヤガスに注入される過酸化水素の容積と、（３）前記第１の通路が前記第２の通路と交差する箇所の前記キャリヤガス中の前記蒸気過酸化水素の濃度が前記物品の前記既知温度より低い露点温度をもつように前記プレナム内に注入される前記キャリヤガスの温度とを制御する
ステップを含むことを特徴とする方法。
【請求項２】
前記第１の通路より下流で前記第２の通路に沿って前記蒸気過酸化水素を分解するステップを含むことを特徴とする請求項１に記載の方法。
【請求項３】
前記キャリヤガス中の蒸気過酸化水素の濃度を最大にすることを特徴とする請求項１に記載の方法。
【請求項４】
物品を汚染除去する方法であって、
（ａ）汚染除去室を含む第１の通路に沿って所定温度の複数の物品を移動させ、
（ｂ）細長いプレナムと前記プレナムより下流に配置された前記汚染除去室とを含む第２の通路に沿ってキャリヤガスを搬送し、
（ｃ）前記プレナムの上流位置において、過酸化水素を蒸発させるのに十分な温度に前記キャリヤガスを加熱し、
（ｄ）前記プレナムで蒸気過酸化水素を生成するため、既知濃度の液体過酸化水素を前記プレナムの前記キャリヤガスに注入し、
（ｅ）前記汚染除去室内の前記物品を前記蒸気過酸化水素にさらし、
（ｆ）（１）前記第２の通路に沿って移動する前記キャリヤガスの容積流量と、（２）前記キャリヤガス内に注入される前記液体過酸化水素の注入流量と、（３）前記プレナムに注入された前記キャリヤガスの温度とを制御することで、前記蒸気過酸化水素を予め選択した温度またはその温度以上に制御する
ステップを含むことを特徴とする方法。
【請求項５】
前記予め選択した温度は前記物品の前記所定温度より約３０℃低いことを特徴とする請求項４に記載の方法。
【請求項６】
前記細長いプレナムは前記汚染除去室より上方に配置されたことを特徴とする請求項４に記載の方法。
【請求項７】
前記キャリヤガス中の蒸気過酸化水素を所定濃度にするため、前記キャリヤガス中の蒸気過酸化水素の濃度を決定することと前記キャリヤガス内への前記液体過酸化水素の注入流量を調節することとを同時に行うステップをさらに含むことを特徴とする請求項４に記載の方法。
【請求項８】
前記汚染除去室の下流の前記第２の通路に分解装置を設け、
前記分解装置における温度変化を測定することによって前記キャリヤガス中の蒸気過酸化水素の前記濃度を決定する
ステップをさらに含むことを特徴とする請求項７に記載の方法。
【請求項９】
前記第２の通路に沿って、前記キャリヤガス中の蒸気過酸化水素の前記濃度を測定するために使用できる過酸化水素センサを設け、
前記過酸化水素センサに基づいて前記キャリヤガス中の蒸気過酸化水素の前記濃度を決定する
ステップをさらに含むことを特徴とする請求項７に記載の方法。
【請求項１０】
前記過酸化水素センサは赤外線（ＩＲ）センサであることを特徴とする請求項９に記載の方法。
【請求項１１】
前記過酸化水素センサは近赤外線（ＩＲ）センサであることを特徴とする請求項９に記載の方法。
【請求項１２】
前記過酸化水素センサは前記汚染除去室に配置されたことを特徴とする請求項９に記載の方法。
【請求項１３】
前記過酸化水素センサは前記プレナムに配置されたことを特徴とする請求項９に記載の方法。
【請求項１４】
前記プレナム内への前記液体過酸化水素の注入流量を測定するために使用できる質量流量計を設け、
前記注入流量に基づいて前記キャリヤガス中の過酸化水素の前記濃度を決定する
ステップをさらに含むことを特徴とする請求項７に記載の方法。
【請求項１５】
前記キャリヤガス中の過酸化水素の前記濃度は、前記液体過酸化水素が前記キャリヤガス内に注入される注入点より上流の位置と前記液体過酸化水素が前記キャリヤガス内に注入される前記注入点より下流の位置との間における前記キャリヤガスの温度変化を測定することで決定されることを特徴とする請求項７に記載の方法。
【請求項１６】
（ａ）前記汚染除去室の下流位置の前記第２の通路に分解装置を設け、前記分解装置における温度変化から蒸気過酸化水素の前記濃度を決定する工程、
（ｂ）前記汚染除去室に第１の過酸化水素センサを設け、前記第１の過酸化水素センサに基づいて蒸気過酸化水素の前記濃度を決定する工程、
（ｃ）前記プレナムに第２の過酸化水素センサを設け、前記第２の過酸化水素センサに基づいて蒸気過酸化水素の前記濃度を決定する工程、
（ｄ）前記プレナム内への前記液体過酸化水素の注入流量を測定するため使用できる質量流量計を設け、前記質量流量に基づいて蒸気過酸化水素の前記濃度を決定する工および、
（ｅ）前記キャリヤガス内への前記液体過酸化水素の注入点より上流の点と、前記液体過酸化水素の前記注入点より下流の点との間における前記キャリヤガスの温度変化から前記濃度を決定する工程
の少なくとも２つの工程に基づいて前記キャリヤガス中の過酸化水素の前記濃度が決定されることを特徴とする請求項７に記載の方法。
【請求項１７】
前記第２の通路に沿って間隔をあけた位置に、前記キャリヤガスの温度を測定するため使用できる複数の温度センサを設け、  
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて前記キャリヤガス中の前記蒸気過酸化水素および前記水蒸気の前記露点温度を決定し、
（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を前記予め選択した温度またはそれより低い温度の露点温度に制御する
ステップが前記ステップ（ｆ）に含まれることを特徴とする請求項７に記載の方法。
【請求項１８】
前記第２の通路に沿って、前記キャリヤガス中の蒸気過酸化水素の前記濃度および水蒸気の濃度を測定するため使用できる過酸化水素センサを設け、
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて前記キャリヤガス中の前記蒸気過酸化水素および前記水蒸気の露点温度を決定し、
（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を前記予め選択した温度またはそれより低い温度の露点温度に制御する
ステップが前記ステップ（ｆ）に含まれることを特徴とする請求項７に記載の方法。
【請求項１９】
物品を汚染除去する方法であって、
（ａ）所定温度の複数の物品を汚染除去室を通る第１の通路に沿って移動させ、
（ｂ）細長いプレナムと前記プレナムより下流に配置された前記汚染除去室とを含む第２の通路に沿ってキャリヤガスを搬送し、  
（ｃ）前記キャリヤガスを前記プレナムの上流位置において、過酸化水素を蒸発させるのに十分な温度に加熱し、
（ｄ）前記プレナムで蒸気過酸化水素を生成するため、既知濃度の液体過酸化水素を前記プレナムの前記キャリヤガス内に注入し、
（ｅ）前記第２の通路に沿う離れた位置で前記キャリヤガスの温度および圧力を測定し、
（ｆ）前記第２の通路の前記キャリヤガスの前記温度および圧力に基づいて前記キャリヤガス中の前記蒸気過酸化水素および前記水蒸気の露点温度を決定し、
（ｇ）前記蒸気過酸化水素を前記汚染除去室内に注入し、
（ｈ）（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を前記予め選択した温度またはそれより低い温度の露点温度に制御する
ステップを含むことを特徴とする方法。
【請求項２０】
前記予め選択した温度は前記物品の前記所定温度より約３０℃低いことを特徴とする請求項１９に記載の方法。
【請求項２１】
前記第２の通路に沿って前記キャリヤガスの蒸気過酸化水素の前記濃度および水蒸気の濃度を測定するため使用される過酸化水素センサを設け、
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて、前記キャリヤガス中の前記過酸化水素および前記水蒸気の前記露点温度を決定する
ステップが前記ステップ（ｆ）に含まれることを特徴とする請求項１９に記載の方法。
【請求項２２】
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記複数の温度センサおよび前記複数の圧力センサからの読みに基づいて、前記キャリヤガス中の前記過酸化水素および前記水蒸気の露点温度を決定する
ステップが前記ステップ（ｆ）に含まれることを特徴とする請求項１９に記載の方法。
【請求項２３】
物品を汚染除去する方法であって、
（ａ）所定温度の複数の物品を汚染除去室を含む第１の通路に沿って移動させ、
（ｂ）細長いプレナムと前記プレナムより下流に配置された前記汚染除去室とを含む第２の通路に沿ってキャリヤガスを搬送し、
（ｃ）前記キャリヤガスを前記プレナムの上流位置において、過酸化水素を蒸発させるのに十分な温度に加熱し、
（ｄ）前記プレナムで蒸気過酸化水素を生成するため、既知濃度の液体過酸化水素を前記プレナムの前記キャリヤガス内に注入し、
（ｅ）前記汚染除去室内で前記物品を前記蒸気過酸化水素にさらし、
（ｆ）（１）前記第２の通路に沿って移動するキャリヤガスの前記容積流量と、（２）前記プレナム内に注入された前記キャリヤガスの前記温度とを制御することによって、前記蒸気過酸化水素を予め選択した温度またはそれより高い温度に維持する
ステップを含むことを特徴とする方法。
【請求項２４】
前記細長いプレナムは前記汚染除去室より上方に配置されたことを特徴とする請求項２３に記載の方法。
【請求項２５】
前記選択した温度は前記物品の前記所定温度より約３０℃低いことを特徴とする請求項２３に記載の方法。
【請求項２６】
（ａ）前記汚染除去室の下流の前記第２の通路に分解装置を設け、前記分解装置における温度変化から蒸気過酸化水素の前記濃度を決定する工程、
（ｂ）前記汚染除去室に第１の過酸化水素センサを設け、前記第１の過酸化水素センサに基づいて蒸気過酸化水素の前記濃度を決定する工程、
（ｃ）前記プレナムに第２の過酸化水素センサを設け、前記第２の過酸化水素センサに基づいて蒸気過酸化水素の前記濃度を決定する工程、
（ｄ）前記プレナムへの前記液体過酸化水素の注入流量を測定するため使用できる質量流量計を設け、前記質量流量に基づいて蒸気過酸化水素の前記濃度を決定する工程および、
（ｅ）前記キャリヤガスへの前記液体過酸化水素の注入点より上流の点と前記液体過酸化水素の前記注入点より下流の点との間における前記キャリヤガスの温度変化から前記濃度を決定する工程
のうち少なくとも１つの工程に基づいて前記キャリヤガス中の過酸化水素の前記濃度を決定することを特徴とする請求項２３に記載の方法。
【請求項２７】
前記第２の通路に沿って前記キャリヤガス中の蒸気過酸化水素の前記濃度および水蒸気の濃度を測定するため使用できる過酸化水素センサを設け、
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて、前記キャリヤガス中の蒸気過酸化水素および前記水蒸気の露点温度を決定する
ステップが前記ステップ（ｆ）に含まれることを特徴とする請求項２３に記載の方法。
【請求項２８】
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記複数の温度センサおよび前記複数の圧力センサからの読みに基づいて、前記キャリヤガス中の蒸気過酸化水素および前記水蒸気の露点温度を決定する
ステップが前記ステップ（ｆ）に含まれることを特徴とする請求項２３に記載の方法。
【請求項２９】
物品を汚染除去する方法であって、
（ａ）汚染除去室を含む第１の通路に沿って複数の物品を移動させ、
（ｂ）細長いプレナムと前記細長いプレナムの下流に配置された前記汚染除去室とを含む第２の通路に沿ってキャリヤガスを搬送し、
（ｃ）前記キャリヤガスを前記プレナムの上流位置で、過酸化水素を蒸発させるのに十分な温度に加熱し、
（ｄ）前記プレナムで蒸気過酸化水素を生成させるため、前記プレナムの前記キャリヤガス内に既知濃度の液体過酸化水素を注入し、
（ｅ）前記物品を前記汚染除去室内で前記蒸気過酸化水素にさらし、
（ｆ）（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を予め選択した温度またはそれより高い温度に維持し、かつ前記蒸気過酸化水素を予め選択した濃度またはそれより低い濃度に維持する
ステップが含まれることを特徴とする方法。
【請求項３０】
前記細長いプレナムは前記汚染除去室より上方に配置されたことを特徴とする請求項２９に記載の方法。
【請求項３１】
前記キャリヤガス中の蒸気過酸化水素を予め選択した濃度またはそれより低い濃度にするため、前記キャリヤガス中の蒸気過酸化水素の濃度を決定することと前記キャリヤガス内への前記液体過酸化水素の注入流量を調節することとを同時に行うことが前記ステップ（ｆ）に含まれることを特徴とする請求項２９に記載の方法。
【請求項３２】
（ａ）前記汚染除去室の下流位置の前記第２の通路に分解装置を設け、前記分解装置における温度変化から蒸気過酸化水素の前記濃度を決定する工程、
（ｂ）前記汚染除去室に第１の過酸化水素センサを設け、前記第１の過酸化水素センサに基づいて蒸気過酸化水素の前記濃度を決定する工程、
（ｃ）前記プレナムに第２の過酸化水素センサを設け、前記第２の過酸化水素センサに基づいて蒸気過酸化水素の前記濃度を決定する工程、
（ｄ）前記プレナム内への前記液体過酸化水素の注入流量を測定するため使用できる質量流量計を設け、前記質量流量に基づいて蒸気過酸化水素の前記濃度を決定する工程および、
（ｅ）前記キャリヤガス内への前記液体過酸化水素の注入点より上流の点と前記液体過酸化水素の前記注入点より下流の点との間における前記キャリヤガスの温度変化から前記濃度を決定する工程
の少なくとも１つの工程に基づいて前記キャリヤガス中の過酸化水素の前記濃度を決定することを特徴とする請求項２９に記載の方法。
【請求項３３】
前記第２の通路に沿って前記キャリヤガス中の蒸気過酸化水素の前記濃度および水蒸気の濃度を測定するため使用できる過酸化水素センサを設け、
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて、前記キャリヤガス中の前記蒸気過酸化水素および前記水蒸気の前記露点温度を決定する
ステップが前記ステップ（ｆ）に含まれることを特徴とする請求項２９に記載の方法。
【請求項３４】
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記複数の温度センサおよび前記複数の圧力センサからの読みに基づいて、前記キャリヤガス中の前記蒸気過酸化水素および前記水蒸気の前記露点温度を決定する
ステップが前記ステップ（ｆ）に含まれることを特徴とする請求項２９に記載の方法。
【請求項３５】
物品を汚染除去する装置であって、
汚染除去室と、
汚染除去される物品を前記汚染除去質を通る第１の通路に沿って搬送するコンベヤと、
前記汚染除去室より上方に配置され前記汚染除去室に接続する蒸発ユニットと、
前記蒸発ユニットおよび前記汚染除去室を通るキャリヤガスを搬送する送風機と、
前記蒸発ユニットを流れる前記キャリヤガスを加熱する加熱手段と、
前記蒸発ユニットに流体接続された液体過酸化水素の供給源と、
前記蒸発ユニットに液体過酸化水素を注入する注入装置と
を備えたことを特徴とする装置。
【請求項３６】
前記蒸発ユニットは入口および出口を有する細長いチャンバを備え、前記出口は前記汚染除去室に流体接続され、前記出口は前記入口より下方に配置されたことを特徴とする請求項３５に記載の装置。
【請求項３７】
前記注入装置は前記細長いチャンバの中心に位置するノズルを備え、前記ノズルは液体過酸化水素の前記供給源に流体連絡し、かつ前記ノズルは前記細長いチャンバ内に噴霧ミストとして液体過酸化水素を注入するよう作動できることを特徴とする請求項３５に記載の装置。
【請求項３８】
前記加熱手段は前記蒸発ユニットに接続されたヒータであることを特徴とする請求項３５に記載の装置。
【請求項３９】
前記汚染除去室に接続された分解装置であって、そこを流れる前記キャリヤガス中の過酸化水素を分解する分解装置と、
前記汚染除去室と前記分解装置との間に配置され、前記キャリヤガスを前記汚染除去室から前記分解装置に搬送するための送風機と
をさらに備えたことを特徴とする請求項３５に記載の装置。
【請求項４０】
前記蒸発ユニットに接続された空気調節ユニットをさらに備え、前記空気調節ユニットは、
チャンバと、
前記チャンバを流れる前記キャリヤガスから汚染物を除去するため前記チャンバに接続されたフィルタと、
前記チャンバを流れる前記キャリヤガスを冷却するため前記チャンバに接続された冷却装置と、
一端が前記チャンバに接続された再生導管と、
前記チャンバから前記再生導管を通って前記キャリヤガスの一部を搬送する送風機と、
前記再生導管を流れる前記キャリヤガスの前記一部を加熱する加熱手段と、
前記チャンバを流れる前記キャリヤガスから湿気を除去するため前記チャンバと前記再生導管とに接続された乾燥剤要素と
を備えたことを特徴とする請求項３５に記載の装置。
【請求項４１】
前記乾燥剤要素は、前記乾燥剤要素の一部が前記チャンバと前記再生導管との間で移動できるように軸の回りに回転可能であることを特徴とする請求項４０に記載の装置。
【請求項４２】
液体過酸化水素の前記供給源と前記蒸発ユニットとに接続された貯蔵器アセンブリをさらに備え、前記貯蔵器アセンブリは、
前記過酸化水素供給源に接続された第１の貯蔵タンクと、
前記過酸化水素供給源に接続された第２の貯蔵タンクと、
前記第１の貯蔵タンクおよび前記第２の貯蔵タンクに接続され、さらに前記蒸発ユニットにも接続された収集タンクと、
前記第１の貯蔵タンクおよび前記第２の貯蔵タンクを前記収集タンクに選択的に流体連絡させ、かつ前記第１の貯蔵タンクおよび前記第２の貯蔵タンクを液体過酸化水素の前記供給源に選択的に流体連絡させる弁手段と、
一端が前記収集タンクに接続されたベントラインであって、かつ他端が前記第１の貯蔵タンクおよび前記第２の貯蔵タンクの頂部よりも上方の位置に配置されたベントラインと、
通過する流れを制御するため前記ベントラインに配置されたベント弁と
を備えたことを特徴とする請求項３５に記載の装置。
【請求項４３】
液体過酸化水素の前記供給源から前記第１の貯蔵タンクおよび前記第２の貯蔵タンクに前記液体過酸化水素をポンプで送るポンピング手段をさらに備えたことを特徴とする請求項４２に記載の装置。
【請求項４４】
前記収集タンクは前記蒸発ユニットより上方に配置されたことを特徴とする請求項４２に記載された装置。
【請求項４５】
前記汚染除去室に接続された通気ユニットをさらに備え、前記通気ユニットは前記通気ユニットおよび前記汚染除去室を流れるガスから汚染物を除去し、前記通気ユニットは、
一端が前記汚染除去室に接続された導管と、
前記導管を通る前記ガスを前記汚染除去室に搬送する送風機と、
前記導管を流れる前記ガスから汚染物を除去するフィルタと、
前記導管を流れる前記ガスを加熱する加熱手段と
を備えたことを特徴とする請求項３５に記載の装置。
【請求項４６】
一端が前記蒸発ユニットに、他端が前記フィルタの上流位置の前記導管に接続された分岐導管と、
前記蒸発ユニットを前記フィルタおよび前記汚染除去室に選択的に流体接続するための弁手段と
をさらに備えたことを特徴とする請求項４５に記載の装置。
【請求項４７】
貯蔵器アセンブリを備えた汚染除去室内の物品を汚染除去する装置であって、前記貯蔵器アセンブリは、
過酸化水素供給源に接続された第１の貯蔵タンクと、
過酸化水素供給源に接続された第２の貯蔵タンクと、
前記第１の貯蔵タンクおよび前記第２の貯蔵タンクに接続され、さらに蒸発ユニットにも接続された収集タンクと、
前記第１の貯蔵タンクおよび前記第２の貯蔵タンクを前記収集タンクに選択的に流体連絡し、かつ前記第１の貯蔵タンクおよび前記第２の貯蔵タンクを前記液体過酸化水素供給源に選択的に流体連絡するための弁手段と、
一端が前記収集タンクに接続され、他端が前記第１の貯蔵タンクおよび前記第２の貯蔵タンクの頂部よりも上方の位置に配置されたベントラインと
流れを制御するため前記ベントラインに配置されたベント弁と
を備えたことを特徴とする装置。
【請求項４８】
液体過酸化水素の前記供給源から前記第１の貯蔵タンクおよび前記第２の貯蔵タンクに前記液体過酸化水素をポンプで送るポンピング手段をさらに備えたことを特徴とする請求項４７に記載の装置。
【発明の詳細な説明】
【技術分野】
【０００１】
本発明は蒸気過酸化水素の生成に関し、特に大量の蒸気過酸化水素を発生させるシステムおよび蒸気過酸化水素を処理する方法に関する。
【背景技術】
【０００２】
過酸化水素（H２O２）を殺菌およびその他の処理に使用することは知られている。殺菌処理においては液体過酸化水素を蒸発させて蒸気過酸化水素（ＶＨＰ）をつくる。蒸気過酸化水素は典型的には過酸化水素と水の液体混合物から生成される。この混合物を蒸発させるとき、水と過酸化水素の沸点が違うので注意しなければならない。この点、水は１００℃で沸騰するが、純粋な過酸化水素は１５０℃で沸騰する。したがって、水と過酸化水素の混合物を蒸発させるとき、混合物を瞬間蒸発させない限り水は過酸化水素より前に沸騰する傾向がある。従来のシステムにおいては、フラッシュ蒸発は水および過酸化水素の少量の混合物を高温表面に滴下させて行っていた。高温面に空気を送って蒸気過酸化水素を回収していた。
【０００３】
ＵＳ特許番号２４９１７３２は従来の蒸気過酸化水素（ＶＨＰ）の蒸発器を開示する。前述の滴下蒸発方法の問題点は液体過酸化水素と水の混合物を蒸発させるため表面を高温に維持しなければならないことである。現在の滴下方法の蒸発器では１射出口当り毎分５ｇまでの射出流量が達成できることが試験でわかった。言い換えると、滴下式蒸発器は一定の寸法制限内で生成できる蒸気過酸化水素量に制限される。この制限があるので、多数の物品および装置を短時間で殺菌する必要のある大容量の殺菌処理に滴下式蒸発器を使用することができなかった。
【０００４】
蒸気過酸化水素を使用する汚染除去システムの別の問題点は汚染除去される物品または表面への蒸気過酸化水素の凝結を防止することにある。
したがって、汚染除去される物品または表面に凝結しない濃度レベルで大量の蒸気過酸化水素が生成できる大容量の蒸気過酸化水素発生器にすることが望ましい。
【特許文献１】US 2,491,732
【発明の開示】
【発明が解決しようとする課題】
【０００５】
本発明は汚染除去すべき物品または表面に凝結しない濃度レベルで大量の蒸気過酸化水素が生成できる過酸化水素蒸発器を提供する。
【課題を解決するための手段】
【０００６】
本発明の好ましい実施形態によれば、次のステップが含まれる、物品を汚染除去する方法が提供される。
（ａ）既知温度の複数の物品を第１の通路に沿って移動させ、
（ｂ）細長いプレナムを含む第２の通路に沿ってキャリヤガスを搬送し、第２の通路はプレナムより下流で第１の通路に交差し、
（ｃ）キャリヤガスをプレナムの上流位置で少なくとも約１０５℃に加熱し、
（ｄ）プレナムにおいてキャリヤガスに既知濃度の液体過酸化水素の噴霧ミストを注入し、
（ｅ）（１）第２の通路に沿うキャリヤガスの容積流量と、（２）キャリヤガスに注入される過酸化水素の容積と、（３）第１の通路が第２の通路と交差する箇所のキャリヤガス中の蒸気過酸化水素の濃度が物品の既知温度より低い露点温度をもつようにプレナム内に注入されるキャリヤガスの温度とを制御するステップである。
【０００７】
本発明の別の側面によれば、次のステップを備えた物品を汚染除去する方法が提供される。
（ａ）汚染除去室を含む第１の通路に沿って複数の物品を移動させ、
（ｂ）細長いプレナムとプレナムより下流に配置された汚染除去室とを含む第２の通路に沿ってキャリヤガスを搬送し、  
（ｃ）キャリヤガスをプレナムの上流位置において、過酸化水素を蒸発させるのに十分な温度に加熱し、
（ｄ）プレナムで蒸気過酸化水素を生成するため、既知濃度の液体過酸化水素をプレナムのキャリヤガス内に注入し、
（ｅ）（１）第２の通路に沿って移動するキャリヤガスの容積流量と、（２）キャリヤガス内に注入される液体過酸化水素の注入流量と、（３）プレナム内に注入されたキャリヤガスの温度とを制御することによって、汚染除去室内の物品を、予め選択した露点温度より高い温度で蒸気過酸化水素にさらすステップが含まれる。
【０００８】
本発明のまた別の側面によれば、次のステップが含まれる、物品を汚染除去する方法が提供される。
（ａ）所定温度の複数の物品を汚染除去室を通る第１の通路に沿って移動させ、
（ｂ）細長いプレナムとプレナムより下流に配置された汚染除去室とを含む第２の通路に沿ってキャリヤガスを搬送し、  
（ｃ）キャリヤガスをプレナムの上流位置において、過酸化水素を蒸発させるのに十分な温度に加熱し、
（ｄ）プレナムで蒸気過酸化水素を生成するため、既知濃度の液体過酸化水素をプレナムのキャリヤガス内に注入し、
（ｅ）第２の通路に沿う離れた位置でキャリヤガスの温度および圧力を測定し、
（ｆ）第２の通路のキャリヤガスの温度および圧力に基づいてキャリヤガス中の蒸気過酸化水素および水蒸気の露点温度を決定し、
（ｇ）蒸気過酸化水素を汚染除去室内に注入し、
（ｈ）（１）第２の通路に沿って移動するキャリヤガスの容積流量と、（２）キャリヤガス内に注入される液体過酸化水素の注入流量と、（３）プレナム内に注入されたキャリヤガスの温度とを制御することによって、蒸気過酸化水素の露点温度を予め選択した温度またはそれより低い温度に制御するステップが含まれる。
【０００９】
本発明のまた別の側面によれば、次のステップが含まれる、物品を汚染除去する方法が提供される。
（ａ）所定温度の複数の物品を汚染除去室を含む第１の通路に沿って移動させ、
（ｂ）細長いプレナムとプレナムより下流に配置された汚染除去室とを含む第２の通路に沿ってキャリヤガスを搬送し、
（ｃ）キャリヤガスをプレナムの上流位置において、過酸化水素を蒸発させるのに十分な温度に加熱し、
（ｄ）プレナムで蒸気過酸化水素を生成するため、既知濃度の液体過酸化水素をプレナムのキャリヤガス内に注入し、
（ｅ）汚染除去室内で物品を蒸気過酸化水素にさらし、
（ｆ）（１）第２の通路に沿って移動するキャリヤガスの容積流量と、（２）プレナム内に注入されたキャリヤガスの温度とを制御することによって、蒸気過酸化水素を予め選択した温度またはそれより低い温度に維持するステップが含まれる。
【００１０】
本発明のまた別の側面によれば、次のステップが含まれる、物品を汚染除去する方法が提供される。
（ａ）汚染除去室を含む第１の通路に沿って複数の物品を移動させ、
（ｂ）細長いプレナムと細長いプレナムの下流に配置された汚染除去室とを含む第２の通路に沿ってキャリヤガスを搬送し、
（ｃ）キャリヤガスをプレナムの上流位置で、過酸化水素を蒸発させるのに十分な温度に加熱し、
（ｄ）プレナムで蒸気過酸化水素を生成させるため、プレナムのキャリヤガス内に既知濃度の液体過酸化水素を注入し、
（ｅ）物品を汚染除去室内で蒸気過酸化水素にさらし、
（ｆ）（１）第２の通路に沿って移動するキャリヤガスの容積流量と、（２）キャリヤガス内に注入される液体過酸化水素の注入流量と、（３）プレナム内に注入されたキャリヤガスの温度とを制御することによって、蒸気過酸化水素を予め選択した温度またはそれより高い温度に維持し、かつ蒸気過酸化水素を予め選択した濃度またはそれより低い濃度に維持するステップが含まれる。
【００１１】
本発明のさらに別の側面によれば、汚染除去室内の物品を汚染除去する装置が提供される。汚染除去される物品は汚染除去室を通る第１の通路に沿ってコンベヤで搬送される。汚染除去室には蒸発ユニットが接続される。蒸発ユニットは汚染除去室より上方に配置される。蒸発ユニットおよび汚染除去室を通ってキャリヤガスが送風機で送られる。蒸発ユニットを流れるキャリヤガスは加熱手段で加熱される。蒸発ユニットには液体過酸化水素の供給源が流体接続される。液体過酸化水素は蒸発ユニット内に注入装置で注入される。
【００１２】
本発明のさらに別の側面によれば、汚染除去室内の物品を汚染除去する装置が提供される。この装置は、過酸化水素の供給源に接続された第１の貯蔵タンクおよび過酸化水素の供給源に接続された第２の貯蔵タンクを含む貯蔵器アセンブリを備える。第１の貯蔵タンクおよび第２の貯蔵タンクには過酸化水素を受け取る収集タンクが接続される。収集タンクは蒸発ユニットにも接続される。弁手段によって、第１の貯蔵タンクおよび第２の貯蔵タンクは液体過酸化水素の供給源に選択的に流体連絡される。収集タンクにはベントラインの一端が接続される。ベントラインの他端は第１の貯蔵タンクおよび第２の貯蔵タンクの頂部より上方の位置に配置される。流れを制御するためベントラインにはベント弁が配置される。
【発明の効果】
【００１３】
本発明の利点は、蒸気過酸化水素（ＶＨＰ）の発生器が大容量であることである。
本発明の別の利点は、多量の蒸気過酸化水素を生成できる汚染除去システムであることである。
【００１４】
本発明の別の利点は、前述の汚染除去システムがシステム中の蒸気過酸化水素の流れを確認できるいくつかの方法を有することである。
本発明の別の利点は、前述の汚染除去システムがそこを流れるキャリヤガスの流量を修正できることである。
【００１５】
本発明の別の利点は、前述の汚染除去システムがシステムへの液体殺菌剤の注入流量を修正できることである。
本発明の別の利点は、前述の汚染除去システムがそこを流れるキャリヤガスの温度を修正できることである。
【００１６】
本発明の別の利点は、前述の汚染除去システムがキャリヤガス中の蒸気過酸化水素の濃度を、蒸気過酸化水素が汚染除去される物品の最初の温度より低い露点温度となるレベルに維持するよう作動できることである。
【００１７】
本発明のさらに別の利点は、前述の汚染除去システムにおいて蒸発しない過酸化水素（存在すれば）がシステムを下方向に流れてシステム内の低い点に集まるようにシステム構成部品が配置されることである。
【００１８】
本発明の別の利点は、前述の汚染除去システムが蒸発器への殺菌剤供給ラインに吸収されたガスまたは閉じ込められたガスを取り除くセットリングタンクを有する殺菌剤供給システムを備えることである。
【００１９】
本発明の別の利点は、前述の汚染除去システムがシステム内で使用される空気を濾過、乾燥させる空気処理ユニットを備えることである。
本発明の別の利点は、前述のシステムを作動する方法で汚染除去される物品または表面に凝結が防止できることである。
【００２０】
本発明の別の利点は、前述のシステムを作動する方法で物品または表面が汚染除去される位置において蒸気過酸化水素の所望の濃度が維持できることである。
本発明の別の利点は、前述のシステムを作動する方法で液体過酸化水素の注入流量が一定に維持できることである。
【００２１】
これらの利点は図面および特許請求の範囲とともに以下に述べる好ましい実施形態から明らかになる。
【発明を実施するための最良の形態】
【００２２】
図面を参照するに際して、図面は発明の好ましい実施形態を示すためであり、これに限定するものではないことに留意されたい。図１はコンベアベルト１４に沿って移動する連続で汚染除去する物品１２用の蒸気過酸化水素汚染除去システム１０を示す。
【００２３】
大雑把に言えば、本発明による汚染除去システム１０は殺菌剤供給ユニット、空気調節ユニット、蒸発器ユニット、汚染除去室または隔離室、分解装置ユニットおよび通気ユニットで構成される。ここで示す実施形態では、汚染除去システム１０には１つの殺菌剤供給ユニット１００、１つの空気調節ユニット２００、２つの蒸発器ユニット３００Ａ，３００Ｂ，２つの汚染除去室５００Ａ，５００Ｂ，２つの分解装置ユニット６００Ａ，６００Ｂおよび２つの通気ユニット７００Ａ，７００Ｂが含まれる。
【００２４】
（殺菌剤供給ユニット１００）
図２を参照すると、殺菌剤供給ユニット１００がよく理解できる。供給ライン１１２によって殺菌剤供給ユニット１００は液体殺菌剤の外部供給源１１４に接続する。ポンプおよびドレンアセンブリ１２０が供給ライン１１２に接続される。ポンプおよびドレンアセンブリ１２０にはモータ１２４で駆動されるポンプ１２２が含まれる。ポンプ１２２およびモータ１２４は計量された量の液体殺菌剤を貯蔵器アセンブリ１３０に運ぶように計画される。
【００２５】
貯蔵器アセンブリ１３０には２つの貯蔵タンク１３２Ａ，１３２Ｂが含まれるのが好ましい。２つの殺菌剤貯蔵タンク１３２Ａ，１３２Ｂは蒸発器ユニット３００Ａ，３００Ｂに殺菌剤を連続して中断せずに流すようになっている。この点、一方の貯蔵タンク１３２Ａには殺菌剤が満たされており、他方のタンク１３２Ｂは蒸発器ユニット３００Ａ，３００Ｂへの殺菌剤の供給に使用中であるが、その詳細は後述する。タンク１３２Ａとタンク１３２Ｂは本質的に同一であるので、タンク１３２Ａのみを詳述する。タンク１３２Ａについての記載はタンク１３２Ｂにも適用されるものである。
【００２６】
タンク１３２Ａは一般に円柱形状をなし、両端に底部１３６とカバー１３８を備えた管状シェルまたは管状壁１３４で構成される。好ましい実施形態では、管状シェル１３４は円筒形状をなし、透明の材料で作られる。タンク１３２Ａは液体殺菌剤Ｓを保持するため内部チャンバ１４２が形成される。供給ライン１１２から分岐した供給ブランチライン１１２ａ，１１２ｂが貯蔵タンク１３２Ａ，１３２Ｂに接続される。弁１４４，１４６が供給ブランチライン１１２ａ，１１２ｂにそれぞれ配置され、貯蔵タンク１３２Ａ，１３２Ｂへの液体殺菌剤の流れを制御する。各タンク１３２Ａ，１３２Ｂにはレベルセンサ１５４が含まれる。センサ１５４は「一杯になったレベル」を示し、その詳細は後述する。圧力センサ１５５が各タンク１３２Ａ，１３２Ｂの底部に設けられ、各タンク１３２Ａ，１３２Ｂの流体レベルを指示する圧力信号を発する。
【００２７】
タンク１３２Ａ，１３２Ｂはその底部端が、それぞれ流体導管１６２、１６４によって保持タンク１７０に接続される。制御弁１６６，１６８が流体導管１６２、１６４にそれぞれ配置され、貯蔵タンク１３２Ａ，１３２Ｂから保持タンク１７０への殺菌剤の流れを制御する。図２に図示するように、タンク１３２Ａ，１３２Ｂの上端はベントライン１５８に接続される。
【００２８】
保持タンク１７０には空気を封入した保持チャンバ１７２が形成される。ベントライン１７４が保持チャンバ１７２から上方に延びる。制御弁１７６がベントライン１７４に配置され、そこを通る流れを制御する。図２でよく理解できるように、ベントライン１７４の上端は貯蔵タンク１３２Ａ，１３２Ｂの上端の高さに配置される。保持タンク１７０の保持チャンバ１７２内の所定のレベルにレベルセンサ１７７が配置される。保持タンク１７０内にレベルセンサ１７７が配置される。図示する実施形態ではレベルセンサ１７７はフロートスイッチである。
【００２９】
保持タンク１７０の底から延びる流体導管１８４で保持タンク１７０と制御弁１８６が接続される。制御弁１８６は殺菌剤の流れを制御して、蒸発器供給ライン１９２か、または供給ライン１１２に接続されたドレンライン１９４のいずれかのラインに殺菌剤を流す。図２に示すように、ドレンライン１９４はポンプおよびドレンアセンブリ１２０のドレンライン１２６に流体連絡する。戻りライン１９６が蒸発器供給ライン１９２からタンク１３２Ａの上端まで設けられる。制御弁１９８が戻りライン１９６に配置され、そこを通過する殺菌剤の流れを制御する。
【００３０】
図示するように、蒸発器供給ライン１９２は蒸発器ユニット３００Ａ，３００Ｂに接続される。したがって、図示する実施形態では、保持タンク１７０および貯蔵タンク１３２Ａ，１３２Ｂは蒸発器ユニット３００Ａ，３００Ｂより上方に、すなわち、より高い所に配置される。
【００３１】
（空気調節ユニット２００）
図５を参照すると、空気調節ユニット２００がよく示される。空気調節ユニット２００は蒸発器ユニット３００Ａ，３００Ｂで使用される空気を濾過、乾燥するために、また通気ユニット７００Ａ，７００Ｂで使用される空気を濾過するために設けられる。空気調節ユニット２００は基本的にフィルタ２２２、冷却アセンブリ２３０および直列に配置された乾燥剤車２４２で構成される。
【００３２】
空気取入れ導管２１２は周囲、すなわち室内空気に通じる第１の端部２１２ａを備える。空気取入れ導管２１２の別の端部２１２ｂは空気調節ユニット２００内のチャンバ２６２に接続される。フィルタ２２２が空気取入れ導管２１２内に配置され、そこを流れる空気を濾過する。フィルタ２２２はＨＥＰＡフィルタであるのが好ましい。冷却アセンブリ２３０はフィルタ２２２の下流に配置される。冷却アセンブリ２３０は冷却コイル２３２および冷却コイルに接続する冷却装置２３４から構成される。冷却コイル２３２は空気取入れ導管２１２を取り囲む。冷却装置２３４は、空気取入れ導管２１２を流れる空気を冷却して空気中の湿気が凝結する程度に空気取入れ導管２１２を取り囲むコイル２３２を十分冷却する寸法になっている。言い換えれば、冷却装置２３４は空気取入れ導管２１２を流れる空気から除湿する十分な容量をもつ。フィルタ２２２と冷却コイル２３２の間の空気取入れ導管２１２に空気供給ライン２１４が接続される。空気供給ライン２１４は濾過された空気をシステム１０内のクール電子機器（図示しない）に供給する。第２の空気供給ラインがフィルタ２１２と冷却コイル２３２の間の空気取入れ導管に接続される。第２の空気供給ライン２１６は、詳細は後述するが、濾過された空気を通気ユニット７００Ａ，７００Ｂに供給する。第１の軸Ａの回りに回転可能な乾燥剤車２４２が空気取入れ導管２１２の端部２１２ｂ、すなわちフィルタ２２２および冷却コイル２３２の下流に配置される。乾燥剤車２４２は車２４２の半分がチャンバ２６２内で回転するように配置される。空気取入れ導管２１２の端部２１２ｂは気流をチャンバ２６２内に位置する乾燥剤車の部分を通して導く。乾燥剤車２４２内の乾燥剤は空気取入れ導管２１２を流れる空気の湿気を吸収するように作動する。このようにチャンバ２６２に入ってくる空気はフィルタ２２２、冷却コイル２３２および乾燥剤車２４２によって濾過され、乾燥されている。湿度センサ２７２および温度センサ２７４がチャンバ２６２内に配置され、チャンバ２６２内空気の湿度および温度がそれぞれ監視される。図５に示すように、チャンバ２６２は空気ライン２８２を介して蒸発器ユニット３００Ａ，３００Ｂに流体連絡される。
【００３３】
空気調節ユニット２００には、乾燥剤車２４２を再生するための、すなわち乾燥剤車２４２から湿気を除去するための再生システム２９０が含まれる。再生導管２９２がチャンバ２６２に接続される。モータ２９６で駆動される送風機２９４がチャンバ２６２内の乾燥され濾過された空気を吸引し、乾燥された空気をヒータ２９８に導き、ヒータ２９８で乾燥空気を加熱する。再生導管２９２は加熱され乾燥され濾過された空気をチャンバ２６２外の乾燥剤車２４２の部分に導くように配置される。当分野の専門家には理解されるように、加熱された空気は乾燥剤車２４２を乾燥させ、すなわち乾燥剤車２４２から湿気を除去する。乾燥剤車２４２からの湿度の高い空気は再生導管２９２を通ってオリフィス２８４を介し空気調節ユニット２００から排出される。圧力変換器２８５が送風機の出口に、すなわち送風機の下流に配置される。圧力変換器２８５はオリフィス２８４と連携して導管２９２を通る所望の気流を確立し、確実に適切に湿気を除去するように使用される。温度センサ２８６がヒータ２９８出口の空気温度を監視する。導管２９２の温度は湿気除去を適切にするよう制御される。
【００３４】
（蒸発器ユニット３００Ａ，３００Ｂ）
図３，７，８および９を参照すると、蒸発器ユニット３００Ａ，３００Ｂがよく理解できる。蒸発器３００Ａと蒸発器３００Ｂは本質的に同一であるので、蒸発器３００Ａについてのみ詳細を記載するが、このような記載は蒸発器３００Ｂにも同様に適用されるものである。図３に示すように、蒸発器ユニット３００Ａ（および蒸発器ユニット３００Ｂ）は殺菌剤供給ユニット１００からの蒸発器供給ライン１９２に接続され、さらに空気調節ユニット２００からの空気ライン２８２にも接続される。
【００３５】
蒸発器ユニット３００Ａは送風機３２２、流量を測定する流量測定装置３３２、ヒータ３５２および蒸発器３６０から構成され、これらはすべて図３に概要が示され、図７に図面で示される。
【００３６】
図示する実施形態では、蒸発器ユニット３００Ａには鋼製構造の支持フレーム３１４上に置かれたキャビネットまたはハウジング３１２が含まれる。キャビネット３１２および支持フレーム３１４はともに直立した円柱構造物である。送風機３２２が支持フレーム３１４の底部に配置される。送風機３２２はモータ３２４で駆動される。モータ３２４は可変速度モータとして、送風機の出力は流量を増加するよう制御できるのが好ましい。送風機３２２の入口は空気調節ユニット２００からの空気ライン２８２に接続される。送風機３２２を作動すると、空気調節ユニット２００から乾燥、濾過された空気が吸入される。図示する実施形態では送風機３２２の出口は垂直の導管３２８に接続される。流量測定装置３３２が導管３２８に配置され、導管３２８を流れる空気流量が測定される。流量測定装置３３２はベンチュリー装置であるのが好ましい。センサ３３４でベンチュリー装置における圧力差を測定し、流量測定装置３３２を流れる空気流量を指示する信号を発する。空気流量を高精度で決定できることと、そこを流れる空気のエネルギー損失が低いことからベンチュリー装置が好ましい。圧力センサ３３５が流量測定装置３３２に入る空気の静圧を測定するために設けられ、詳細は後述するように、導管３２８を通る質量流量の計算が容易となる。温度センサ３６が流量測定装置３３２の下流に配置される。
【００３７】
図示する実施形態では一般にＵ形の導管ピース３４２が流量測定装置３３２に接続され、空気の流れの方向を変える。導管ピース３４２には図示する実施形態に示すように垂直方向の細長い直線状のヒータ領域３４２ａが含まれる。図７に示すように、導管ピース３４２で形成される通路は流量計３３２に接続する導管ピース３４２の端部から細長い直線状ヒータ領域３４２ａまで断面積が増加する。加熱装置３５２が導管ピース３４２の直線状ヒータ領域３４２ａ内に配置され、導管ピース３４２を流れる空気を加熱する。図示する実施形態では加熱装置３５２は電気装置である。防熱層３５４が加熱装置３５２を取り囲む。過酸化水素を蒸発させ、また汚染除去システム１０内での凝結を十分防止できる所望の温度に維持するために、加熱装置３５２は導管ピース３４２を流れる空気を十分高い温度まで加熱できるように設計される。１つの実施形態では、加熱装置３５２は導管ピース３４２を流れる空気を少なくとも約１０５℃に加熱することができる。別の実施形態では、加熱装置３５２は導管ピース３４２を流れる空気を少なくとも１８０℃に加熱することができる。導管ピース３４２の断面積が増加することで、小径の管から大径のヒータ領域３４２ａへの接続が可能になる。
【００３８】
蒸発器３６０はヒータ３５２の下流側となる導管ピース３４２の端部に接続される。蒸発器３６０は細長い内部蒸発プレナム３６４を形成するハウジング３６２で構成される。図示する実施形態では、ハウジング３６２は平坦なキャップ３７２を有する第１の端部３６６ａと、漏斗形ベース３７４を有する第２の端部３６６ｂを備える矩形シェル３６６で構成される。ハウジング３６２の断面積および長さは液体殺菌剤が内部で蒸発するのに十分な時間がとれるような寸法にされている。蒸発器３６０の第１の端部３６６ａは入口端部を形成し、蒸発器３６０の第２の端部３６６ｂは出口端部を形成する。シェル３６６、キャップ３７２およびベース３７４は好ましくは金属製で、より好ましくはアルミニウム製である。キャップ３７２は好ましくは溶接でシェル３６６に取り付けられる。導管ピース３４２はキャップ３７２内の開口によって蒸発器３６０の内部プレナム３６４に通じる。シェル３６６の出口端部３６６ｂにはベース３７４上の管状フランジ３７８に接続する管状フランジ３７６が含まれる。ベース３７４は漏斗形をなし、蒸発器ハウジング３６２を蒸気過酸化水素供給ライン５１２Ａに接続し、このライン５１２Ａは次いで汚染除去室５００Ａに接続する。
【００３９】
図７に示すように、蒸発器３６０は細長い蒸発器プレナム３６４が垂直になるような方向に向けられる。この点、加熱装置３５２および導管ピース３４２の直線領域３４２ａは加熱した空気を下方向の蒸発器プレナム３６４に導くように蒸発器プレナム３６４と垂直に一直線に揃えられる。
【００４０】
殺菌剤注入装置４１０が蒸発器プレナム３６４内に配置される。注入装置４１０はプレナム３６４内の中心に配置され、蒸発器ハウジング３６２の第２の端部３６６ｂの方向の下方向に向ってプレナム３６４内に殺菌剤を注入するよう配置される。
【００４１】
注入装置４１０は、図８でよく理解できるように、内部混合チャンバ４１４を形成する筒状本体４１２で構成される。空気ライン４２２および殺菌剤ライン４２４が本体４１２に接続し、内部混合チャンバ４１４に通じる。空気ライン４２２は導管４２３によってシステム１０内の濾過、乾燥された加圧空気の供給源（図示しない）に接続される。殺菌剤ライン４２４は殺菌剤供給ユニット１００からの殺菌剤供給ライン１９２に接続される。モータ４２８で駆動されるポンプ４２６が、図３で概要が示されるように、殺菌剤供給ライン１９２に配置され、殺菌剤を加圧して注入装置４１０に供給する。ポンプ４２６は可変速度の蠕動ポンプであるのが好ましい。ポンプ４２６は選択された流量で殺菌剤を注入装置４１０内に注入するように設けられる（１分当りグラムにおける注入流量は質量流量計４２７で測定される）。モータ４２８は可変速度モータであるのが好ましく、殺菌剤の注入装置４１０への注入流量はモータ４２８の速度でよって可変にすることができる。圧力センサ４２９がポンプ４２６の下流において殺菌剤供給ライン１９２に配置される。圧力センサ４２９は殺菌剤注入流量が適性であることを監視（および確認）し、注入装置４１０が遮断されていないことを確認する。
【００４２】
噴霧ノズル４３２が本体４１２に取り付けられる。ノズル４３２は殺菌剤を微細なスプレイ、すなわち完全に蒸発させるのに十分に小さいミストがつくれるのが好ましい。通常の入手できる噴霧ノズルを本発明に使用すると有利となる。
【００４３】
蒸発器プレナム３６４内への注入装置４１０の位置決めを容易にするためにシェル３６６に開口４３８を形成する。開口４３８を囲むシェル３６６に、好ましくは溶接で、カラー４４２を取り付ける。カラー４４２に通常の締め具４４６を使ってカバープレート４４４を取り付ける。カバープレート４４４とカラー４４２の間にガスケット４６７を配置して完全に封止する。カバープレート４４４内のねじ開口に通常の金具４４８を挿入し、この金具に空気導管４２３からの空気ライン４２２と殺菌剤供給ライン１９２からの殺菌剤ライン４２４と接続する。
【００４４】
本発明の１つの側面によると、シェル３６６に相対的なノズル４３２の寸法は、蒸発器３６０の作動中においてノズル４３２からの噴霧がシェル３６６に接触することが最小限とされるように、または避けられるように決められる。
【００４５】
温度センサ４５２が蒸発器３６０の第１の端部３６６ａと殺菌剤注入装置４１０の間の蒸発器プレナム３６４内に配置される。第２の温度センサ４５４が殺菌剤注入装置４１０の下流で蒸発器ハウジング３６２の第２の端部３６６ｂの付近となる蒸発器プレナム３６４内に配置される。センサ４５２、４５４間の温度降下は殺菌剤を蒸発させるのに必要な熱に比例するが、その詳細は後述する。
【００４６】
蒸気過酸化水素および水蒸気の濃度を指示する蒸気過酸化水素センサ４６２が殺菌剤注入装置４１０の下流の蒸発器プレナム３６４内に選択的に配置される。蒸気過酸化水素センサ４６２は蒸発器３６０の第２の端部３６６ｂ（出口端部）付近に配置される。センサ４６２は好ましくは赤外線（ＩＲ）センサであり、より好ましくは近赤外線（ＩＲ）センサである。センサ４６２は一般に円筒形状をなし、プレナム３６４を横切ってハウジング３６２内に取り付けられる。センサ４６２はハウジング３６２に取り付けられるが、そこから容易に取り外しできる。
【００４７】
（汚染除去室５００Ａ，５００Ｂ）
図１に示すように、蒸発器ユニット３００Ａ，３００Ｂは蒸気過酸化水素導管５１２Ａ，５１２Ｂによって、それぞれ汚染除去室５００Ａ，５００Ｂに接続される。汚染除去室５００Ａと汚染除去室５００Ｂは本質的に同一であるので、汚染除去室５００Ａのみについて記載するが、このような記載は汚染除去室５００Ｂにも同様に適用されるものである。
【００４８】
図６および９でよく理解できる汚染除去室５００Ａは、殺菌／汚染除去される物品１２をコンベア１４で搬送するスペースまたは領域５２４を形成する包囲物またはハウジング５２２で構成される。マニホールド５４２がハウジング５２２に取り付けられ、マニホールド５４２はハウジング５２４内のスペースまたは領域５２４に通じる複数の間隔をあけた開口またはノズル５４４を備える。図９でよく理解できるように、ノズル５４４はコンベア１４の上方に配置され、汚染除去室５００Ａを通過する物品１２上に蒸気過酸化水素を均等に分配する。
【００４９】
図９でよく理解できるように、温度センサ５４６および蒸気過酸化水素センサ５５２がマニホールド５４内に配置される。蒸気過酸化水素センサ５５２は蒸気過酸化水素と水蒸気の濃度を指示することができる。センサ５５２は近赤外線（ＩＲ）センサであるのが好ましい。センサ５５２は円筒状をなし、そこから延びる光学ファイバーケーブル５５２ａを備える。近赤外線センサ５５２のマニホールド５４２への挿入、取出しを容易にするため、間隔をあけた一対のレール５６２，５６４がマニホールド５４２内に設けられる。図示する実施形態では、レール５６２，５６４は円柱棒である。近赤外線センサ５５２はマニホールド５４２側壁の開口に挿入される。ケーブル５５２ａが貫通できるキャップまたはプラグ５７２で開口を封止する。
【００５０】
（分解装置ユニット６００Ａ，６００Ｂ）
図６を参照すると、分解装置ユニット６００Ａおよび６００Ｂの概要が示される。分解装置ユニット６００Ａと分解装置ユニット６００Ｂは本質的に同一であるので、分解装置ユニット６００Ａのみを記載するが、このような記載は分解装置ユニット６００Ｂにも適用されるものである。
【００５１】
導管６１２によって包囲物５２２と分解装置ユニット６００Ａとが接続される。図９でよく理解できるように、導管６１２は包囲物５２２の１つの側面を介して包囲物５２２内の領域５２４に通じる。流量測定装置６２２が導管６１２に配置され、そこを通過する流量に関するデータが与えられる。図示する実施形態では、流量測定装置６２２には圧力センサ６２４が含まれ、この圧力センサ６２４で流量測定装置６２２における圧力差を検出し、装置６２２を流れる流量を指示する信号を与えるように作動する。好ましい実施形態では、流量測定装置６２２はベンチュリー装置６２２である。追加の圧力センサ６２５が設けられ、以下に記載する質量流量の計算のため流量測定装置６２２内の静圧を測定する。温度センサ６２６が流量測定装置６２２下流の導管６１２に配置される。導管６１２はモータ６３４で駆動される送風機６３２の入口に接続される。送風機６３２の出口側から延びる導管６３６は分解装置に接続される。分解装置６４２は基本的に触媒装置であって、そこを通過する過酸化水素を分解するように作動できる。この点、触媒分解装置は蒸気過酸化水素を水と酸素とに変換する。温度センサ６６２が分解装置６４２の前方、すなわち上流側に配置される。第２のセンサ６６４が分解装置６４２の後方、すなわち下流側に配置される。
【００５２】
（通気ユニット７００Ａ，７００Ｂ）
図４を参照すると、通気ユニット７００Ａの概要が示される。通気ユニット７００Ａと通気ユニット７００Ｂは本質的に同一であるので、通気ユニット７００Ａのみについて記載するが、このような記載は通気ユニット７００Ｂにも同様に適用されるものである。図４に示すように、通気ユニット７００Ａは空気調節ユニット２００からの空気供給ライン２１６に接続される。空気調節ユニット２００からの空気供給ライン２１６は通気ユニット７００Ａ，７００Ｂに濾過された空気を供給する。空気供給ライン２１６は可変速度モータ７１４で駆動される送風機７１２の入口側に接続される。送風機７１２は通気ユニット７００Ａ内に配置され、空気調節ユニット２００のフィルタ２２２および供給ライン２１６を通してシステム１０外から空気を吸引する。送風機７１２の出口側は通気導管７２２に接続される。通気導管７２２は通気ユニット７００Ａ内に設けられる。送風機７１２の下流側の通気導管７２２内に流量測定装置７３２が配置される。好ましい実施形態では流量測定装置７３２はベンチュリー装置である。圧力センサ７３４で流量測定装置７３２における圧力差を測定し、通気導管７２２を流れる空気流量を指示する信号を与える。流量測定装置７３２に入る空気の静圧を測定するため圧力センサ７３５が設けられ、通気導管７２２を通る質量流量の計算を容易にする。温度センサ７３６が流量測定装置７３２の前方（上流）に配置される。温度センサ７３６は送風機７１２と流量測定装置７３２の間に配置される。弁要素７３８が流量測定装置７３２の下流側の通気導管７２２に配置され、通気導管７２２を流れる空気流量を調節する。フィルタ装置７４２が弁要素７３８の下流側に配置される。フィルタ装置７４２は、好ましくはＨＥＰＡフィルタであり、空気調節ユニットのフィルタ２２２に加えて、通気導管７２２を流れる空気の第２の濾過を行う。加熱装置７５２がフィルタ装置７４２の下流側の通気導管７２２に配置される。マニホールド７６２には濾過、加熱された空気を汚染除去室５００Ａ内に分配する複数のノズルまたはポート７６４が含まれる。マニホールド７６２は、コンベア１４が汚染除去室５００Ａから出る位置においてコンベア１４の上方に配置される。温度センサ７６６がマニホールド７６２内に配置される。
【００５３】
通気ユニット７００Ａは基本的には加熱、濾過された空気を汚染除去室５００Ａに送り、コンベア１４上の物品１２から過酸化水素を取り除き、それによって凝結を防止する。
図１および４でよく理解できるように、導管７７２によって蒸気過酸化水素導管５１２Ａと通気導管７２２とが接続される。導管７７２は蒸発器３６０とマニホールド５４２との間の蒸気過酸化水素導管５１２Ａに接続される。導管７７２は弁７３８とフィルタ装置７４２との間の通気導管７２２に接続される。弁７７４が導管７７２に配置され、そこの流れを制御する。導管７７２は通気ユニット７００Ａのフィルタ装置の汚染除去を周期的に行うために設けられる。通気導管７２２の弁７３８を閉じて、導管７７２の弁７７４を開くことによって、蒸発器３６０の蒸気過酸化水素をフィルタ装置７４２に導くことができる。
【００５４】
本発明により、汚染除去システムの空気温度、空気流量、殺菌剤温度および殺菌剤注入流量を制御することによって、蒸気過酸化水素の所望の濃度が汚染除去室内で維持できる。汚染除去システムにおいて蒸気過酸化水素（ＶＨＰ）が使用される場合、蒸気過酸化水素が汚染除去される製品または物品上に凝結するのを防止する必要がある。定常状態において凝結を防止するために、蒸気過酸化水素の定常流プロセス、殺菌剤注入流量、空気流量および空気温度を制御する必要がある。本発明によれば、凝結を防止するため、所望の蒸気過酸化水素の濃度および温度に制御される。本発明の１つの側面によれば、システム１０の作動が制御され、気流内の過酸化水素の濃度は汚染除去される物品の温度より低い露点温度に維持される。システム１０は以下に記載する数学モデルに基づいて制御される。
【００５５】
水および過酸化水素の露点濃度は殺菌剤が注入される空気温度と、空気内の水および過酸化水素の濃度とによって異なる。蒸気過酸化水素汚染除去装置で使用される定常状態、定常流プロセスの場合には、露点濃度は殺菌剤の注入流量と注入器を通過する空気温度および空気容積流量とによって異なる。
【００５６】
気流（mg/l）内の過酸化水素の濃度Cpは等式（１）によって与えられる。
【００５７】
【数１】
2009535215.tif 000003
ただし
I＝殺菌剤注入流量（g/min）
F＝空気流量（実際のft3/min）
P＝殺菌剤中の過酸化水素のパーセンテージ
E＝蒸発過程で分解した過酸化水素量の関数としての蒸発器効率（0.90=90%）
等式（１）において1000はgをmgに換算するための換算係数である。28.32はft3をlに換算するための換算係数である。
【００５８】
気流（mg/l）内の水蒸気の濃度Ｃｗは等式（２）によって与えられる。
【００５９】
【数２】
2009535215.tif 000004
ただし、Cw,airr＝蒸発器に流れ込む空気流内の水の濃度（mg/l）
過酸化水素は水と酸素に分解される。触媒作用を受けた過酸化水素の９／１７は水に変換され、残りは酸素に変換される。このことは、触媒作用を受けた過酸化水素の水の部分を空気流内の水の濃度に加える等式（２）で理解される。
【００６０】
等式（１）および（２）から、空気流内の水および過酸化水素の濃度が決まる。過酸化水素の露点は次のようにして決定される。
最初に湿度のない包囲物内に過酸化水素の一定濃度の液体を入れたとき、液体過酸化水素および水は蒸発して包囲物内で平衡状態になることが知られている。蒸気過酸化水素の濃度は液体の過酸化水素濃度よりも低い。Schumb, Satterfield, & Wentworth 1955による「過酸化水素」の書物のような公知文献から、等式および表によって、Ｈ２Ｏ２および水に対する液体濃度と気体濃度との関係が与えられる。包囲物内では蒸気濃度は飽和点に達する。
【００６１】
文献情報は一定容積の水と過酸化水素混合物の飽和点を決定するのに使用される。
この点、過酸化水素水溶液（液体形態）に対するガス相の過酸化水素のモル分率（yh）は次の等式（３）によって与えられる。
【００６２】
【数３】
2009535215.tif 000005
ただし、
xh＝液体殺菌剤中の過酸化水素のモル分率
P＝混合物の全蒸気圧（mmHg）-
混合物の全蒸気圧（P）は次の等式（４）によって与えられる。
【００６３】
【数４】
2009535215.tif 000006
ただし、
Pwg-＝水の蒸気圧（mmHg）（等式（５）を参照）
xw＝水のモル分率
Phg＝過酸化水素の蒸気圧（mmHg）（等式（５）を参照）
γw-＝水の活性度係数
水の活性度係数は次の等式（５）によって与えられる。
【００６４】
【数５】
2009535215.tif 000007
ただし、
xp＝過酸化水素のモル分率
R＝1.987cal/gmole−Ｋ理想気体定数
B0＝活性度係数の計算用の係数＝-1017+0.97*T
B1＝活性度係数の計算用の係数＝85
B2＝活性度係数の計算用の係数＝13
T＝水蒸気温度（K）
過酸化水素の活性度係数（γｈ）は次の等式（６）によって与えられる。
【００６５】
【数６】
2009535215.tif 000008
過酸化水素のモル分率（Xp）は次の等式（７）（H2O2.comから）によって与えられる。
【００６６】
【数７】
2009535215.tif 000009
ただし、
Percent＝気体または液体形態の過酸化水素のパーセンテージ
MWw＝水の分子量＝18.016g/mole
MWp＝過酸化水素の分子量＝34.016g/mole
水の蒸気圧は次の等式（８）（ASHRAE Fundamentals bookから）によって与えられる。０℃を超える温度に対して次の等式（８）が与えられる。
【００６７】
【数８】
2009535215.tif 000010
ただし、
VP＝飽和蒸気圧（psi）
TF＝蒸気温度（°F）
C8＝-10440.397
C9＝-11.29465
C10＝-0.027022355
C11＝0.00001289036
C12＝-2.4780681E-09
C13＝6.5459673
無水過酸化水素の蒸気圧は次の等式（９）によって与えられる。
【００６８】
【数９】
2009535215.tif 000011
ただし、
Phg＝過酸化水素の蒸気圧（mmHg）
T＝蒸気圧（K）
理想気体の法則は一定温度における過酸化水素と水の蒸気成分の飽和レベルを計算するのに使用できる。理想気体の法則は次の等式（１０）によって与えられる。
【００６９】
【数１０】
2009535215.tif 000012
ただし、
P＝水と過酸化水素混合物の蒸気圧（mmHg）
V＝容積（m3）
n＝モル数
R＝気体定数（0.082liter-atm/mol-K）
T＝蒸気温度（K）
過酸化水素蒸気または水蒸気の飽和濃度は通常、単位容積当りの質量で与えられる。等式（１０）は次の式等（１１）で与えられるように濃度を決定するのに書き直すことができる。
【００７０】
【数１１】
2009535215.tif 000013
ただし、
C＝蒸気の飽和濃度（mg/liter）
w＝質量（mg）
V＝容積（liter）
M＝水または過酸化水素の分子量（gram/mole）
＝34.016grams/mole（過酸化水素に対して）
＝18.016grams/mole（水に対して）
x＝蒸気モル分率
P＝等式（８）および（９）から計算した水および過酸化水素混合物の蒸気圧（mmHg）
R＝気体定数（0.082liter-atm/mole-K）
T＝蒸気の温度（K）
等式（１１）を水の飽和濃度（Cw,sat）および過酸化水素の飽和濃度（Ch,sat）について解くことができる。過酸化水素蒸気のパーセントは次の等式（１２）を使用して計算できる。
【００７１】
【数１２】
2009535215.tif 000014
ただし、
Pc＝蒸気形態の過酸化水素パーセント
Cp,cc＝等式（１１）から計算した過酸化水素の濃度（mg/liter）
Cw,cc＝等式（１１）から計算した水の濃度（mg/liter）
等式（１２）で計算した蒸気形態の過酸化水素のパーセンテージは等式（１）および（２）を使用して計算した過酸化水素のパーセントと比較することができる。
【００７２】
【数１３】
2009535215.tif 000015
ただし、
P＝気流内の過酸化水素の理論的パーセント
CpおよびCwは前に記載した等式（１）および（２）で説明されている。
【００７３】
等式（１２）で計算した過酸化水素のパーセンテージは等式（１３）で計算したものと一致させる必要がある。前に述べたように、殺菌剤中の過酸化水素のパーセンテージを等式（７）で使用すると、等式（１２）を使用して算出したパーセンテージは低すぎる。この２つの等式は、等式（１２）と（１３）を使用して算出した濃度が一致するまで、等式（７）で使用する液体過酸化水素の濃度（パーセント）を増加させることで等式（１２）からの修正した飽和蒸気濃度を生成するようにする。
【００７４】
入口の空気温度は殺菌剤を十分に蒸発させ、かつ下流における凝結を防止するのに十分に高い出口温度を与えるものでなければならない。蒸発器管の入口の必要温度は次のようにして決定する。
【００７５】
過酸化水素を蒸発させるために必要な熱のほとんどは過酸化水素の蒸発潜熱に当てられる。わずかであるが、液体殺菌剤を室温から蒸発温度に加熱するのに顕熱が必要となる。蒸発熱（潜熱）を水中の過酸化水素濃度の関数として図１０に示すが、これはH2O2.comから無料で見ることができる。
【００７６】
潜熱hfgはグラム当りのカロリーの単位で与えられる。Hfgの単位は次の等式（１４）に示すように水中の３５％過酸化水素のグラム当りのBTUに換算できる。
【００７７】
【数１４】
2009535215.tif 000016
蒸発熱は次の等式（１５）で決定される。
【００７８】
【数１５】
2009535215.tif 000017
ただし、
I＝殺菌剤注入流量（grams/min）
殺菌剤を室温から所望の出口温度に加熱するのに必要な顕熱は次の等式（１６）によって決定される。
【００７９】
【数１６】
2009535215.tif 000018
ただし、
ρster＝H2O2.comに記載された殺菌剤の密度（図１１参照）（gram/ml）
Cp,ster＝H2O2.comに記載された殺菌剤の比熱（図１２参照）（BTU/gram-C）
T2＝ユーザが規定する蒸発器出口温度（C）
Tamb＝殺菌剤の周囲温度（C）
図１１および１２はH2O2.comから無料で見ることができる。
【００８０】
殺菌剤を蒸発させため高温空気が使用される。空気流で失われた熱Ｑairは次の等式（１７）で決定される。
【００８１】
【数１７】
2009535215.tif 000019
ただし、
mfr＝空気の質量流量＝（0.075lbm/scf）×scfm（lbm/min）
Cp＝バルク温度における空気の比熱（BTU/lbm-R）
T1＝入口空気温度（蒸発器管内へ）（°F）
T2＝出口空気温度（蒸発器管外へ）（°F）
出口温度は等式（１７）を使用して空気流内の殺菌剤の露点を知ることで決定される。Qairの値はQvap＋Qsenに等しい。等式（１７）中の未知数は入口温度だけである。等式（１６）をT1について解くと、等式（１８）が得られる。
【００８２】
【数１８】
2009535215.tif 000020
次にシステム１０の作動について述べる。制御装置（図示しない）はシステム１０が異なる３つの作動モードで作動できるようにプログラムされる。すなわち、（１）汚染除去室５００Ａ，５００Ｂ内で所望の露点温度を維持するように作動させるモード、（２）殺菌剤を一定の注入流量で作動させるモードおよび（３）所望の過酸化水素濃度を保持するように作動させるモードである。制御装置はシステム中の種々のセンサから入力信号を受け取る。さらに、制御装置は、前述の等式に基づいて、選択した作動モードによって加熱装置２９８，３５２，７５２、送風機モータ２９４，３２２，６３２，７１２およびポンプモータ１２４，３２４，４２８を制御するようにプログラムされる。
【００８３】
最初、汚染除去室の特定の露点を維持する第１の作動モードに注目すると、この作動モードにおいてはユーザーの入力が必要となる。特にユーザーは（ａ）所望の露点温度（Tdp）と、（ｂ）所望の蒸発器出口温度と、（ｃ）液体殺菌剤中の過酸化水素のパーセンテージとを入力する。
【００８４】
蒸気過酸化水素センサ５５２を使用すると露点は計算できる。センサを使用しないときは、水および過酸化水素濃度（仮定効率が知られている）の計算は等式（１）、（２）を使用して判断できる。
【００８５】
当分野の専門家には知られているように、露点温度は空気中の水蒸気および過酸化水素蒸気が飽和して凝結を開始する温度である。本発明において、第１の作動モードで作動させるときのシステム１０の目的は、殺菌される物品１２上の凝結を防止するように、空気温度、空気流量、および空気流内の水蒸気および過酸化水素蒸気（ＶＨＰ）の濃度を制御することである。当分野の専門家には理解されるように、殺菌される物品１２の温度は実際の露点温度を決定するときのファクターとなる。図示する実施形態においては、物品１２は汚染除去室５００Ａ，５００Ｂ内をコンベアで搬送される。汚染除去室５００Ａまたは５００Ｂに入ってくる物品１２の最初の温度は所望の露点温度（Tad）の決定に重要となる。所望の露点温度は汚染除去室５００Ａまたは５００Ｂに入ってくる物品１２の最初の温度に基づいて決定される。確実に物品１２上に凝結させないために、システムに入力される「予め選択した温度」とも言われる「所望の露点温度」は汚染除去室５００Ａまたは５００Ｂに入るときの物品１２の最初の温度よりも一定の温度分だけ低いのが好ましい。好ましい実施形態では、所望の露点温度は汚染除去室５００Ａまたは５００Ｂに入るときの物品の最初の温度より約３０℃低く選択される。勿論、付加される温度ファクターは、物品の最初の温度よりも低くとどまる限り、増加または減少することもできる。
【００８６】
当分野の専門家には理解されるように、汚染除去室に入るとき殺菌される物品１２の温度が低ければ低いほど、水蒸気および過酸化水素蒸気が物品１２上に凝結する露点温度は低くなる。
【００８７】
ユーザーが入力する第２のデータは所望の蒸発器出口温度である。これらのデータも汚染除去される物品１２の物理的性質によってある程度異なる。この点、物品１２の損傷を避けるため、一定の温度以下でシステム１０を作動させる必要がある。
【００８８】
ユーザーが入力する第３のデータは液体殺菌剤中の過酸化水素のパーセンテージである。この情報は液体殺菌剤の供給者から与えられる。
以上の入力された情報に基づいて、システムは第１の作動モードで以下のように作動する。
【００８９】
最初、殺菌剤供給ユニット１００の２つの貯蔵タンク１３２Ａ，１３２Ｂに液体殺菌剤を充填するのが好ましい。ポンプ１２２で各タンクに液体殺菌剤を入れる。各タンク１３２Ａ，１３２Ｂのレベルセンサ１５４で指示される所望の充填レベルまで各タンク１３２Ａ，１３２Ｂに充填するのが好ましい。
【００９０】
蒸発器ユニット３００Ａ，３００Ｂに液体殺菌剤を供給するときは、一方のタンク１３２Ａまたは１３２Ｂを使用するのが好ましい。一方のタンク１３２Ａまたは１３２Ｂから液体殺菌剤がなくなると、他方のタンク１３２Ａまたは１３２Ｂの液体殺菌剤を蒸発器ユニット３００Ａ，３００Ｂの供給に使用する。空のタンク１３２Ａまたは１３２Ｂに所属する弁１４４，１４６を開き、外部供給源１１４から空のタンクに液体殺菌剤をポンプで送り込むことによって、空のタンク１３２Ａ，１３２Ｂに再度充填することができる。一方の空のタンク１３２Ａ，１３２Ｂに充填しているときには、蒸発器ユニット３００Ａ，３００Ｂへは他方のタンク１３２Ａ，１３２Ｂを使用して供給する。タンク１３２Ａ，１３２Ｂの寸法は１つのタンク１３２Ａまたは１３２Ｂに再充填中であっても、汚染除去システム１０を連続作動できる大きさである。その結果、殺菌剤が蒸発器３００Ａ，３００Ｂに同時に全体として連続して流れ、物品１２の連続処理が可能になる。
【００９１】
図２に示すように、タンク１３２Ａ，１３２Ｂの液体殺菌剤は保持タンク１７０に導かれる。保持タンク１７０の寸法は、液体殺菌剤から放出されたガスが蒸発器ユニット３００Ａ，３００Ｂに入る前に供給ユニット１００から逃がすことのできる大きさである。この点、保持タンク１７０の外形寸法はシステム１０の供給ラインおよび導管よりもかなり大きいので、液体殺菌剤のガスを取り除いて逃すことで、このようなガス泡またはガスポケットが蒸発器ユニット３００Ａ，３００Ｂに流れ込むのを防止できることがわかった。
【００９２】
前に述べたように、殺菌供給ユニット１００は重力式供給システムである。蒸発器供給ライン１９２内にガス気泡が詰まるのを避けるため、保持タンクから蒸発器ユニット３００Ａ，３００Ｂに至る蒸発器供給ライン１９２を形成する導管および配管はすべて下流に向って傾斜させ、それによって蒸発器供給ライン１９２内の液体殺菌剤から放出されたガスを保持タンク１７０に移動させ、そこからベントライン１７４を通って放出することができる。ベントライン１７４の弁１７６はフロートスイッチ１７７で制御される。
【００９３】
図３に示す蒸発器ユニット３００Ａ，３００Ｂの作動に注目して、蒸発器ユニット３００Ａの作動について記載するが、このような記載は蒸発器３００Ｂにも適用されるものである。システム１０の制御装置によってモータ３２４が駆動され、それによって空気調節ユニット２００から空気が吸引され、垂直導管３２８を通って空気が蒸発器３６０内に送られる。送風機３２２によって送られた空気流量は流量測定装置３３２によって測定される。前に述べたように、モータ３２２は電気制御の可変速度モータであるのが好ましく、蒸発器３６０を通る空気流量は制御装置で自動的に調節できる。加熱装置３５２で蒸発器プレナム３６４に入る空気を加熱する。加熱装置３５２の出力は加熱装置３５２のデューティサイクルを変えることで調節できる。言い換えれば、蒸発器プレナム３６４に流れ込む空気の温度は加熱装置３５２の出力を調節することで調節できる。
【００９４】
システム１０を最初に起動させるとき、空気を送風機３２２からプレナム３６４および汚染除去室５００Ａに強制的に送り込む。加熱された空気がシステム１０に送り込まれ、システム１０の温度が安定するまでシステムの構成部品は加熱される。システム１０の温度センサ２７４，２８６、３３６、４５２、４５４、５４６、６２６、６６２および６６４でシステム１０内の空気の温度を監視し、温度センサ３３６で測定され加熱装置３５２に入る温度に基づいてシステムが平衡温度に達したことが決定される。
【００９５】
一旦、システム１０の温度が安定すると、液体殺菌剤を注入装置４１０によって、加熱された気流内に注入する。システムに注入する殺菌剤量は前に述べた等式を使用した計算に基づいて制御装置で行われる。加熱気流内へ液体殺菌剤を最初注入すると、加熱された空気流内で液体殺菌剤が蒸発する結果として蒸発器プレナム３６４内の圧力が上昇する。蒸発器プレナム３６４内におけるこの圧力上昇のため蒸発器３６０内へ入る空気流量は減少することになる。この空気流量の減少量は流量測定装置３２２によって検出される。本発明の１つの側面によると、送風機モータ３２４の作動は流量測定装置３３２を流れる検出された空気流量で制御される。流量測定装置３３２およびセンサ３３４からの出力信号に基づいて、制御装置は送風機３２２の速度を増加させて蒸発器プレナム３６４および下流のユニットを通る所望の空気流量を維持する。この点、システム１０は自己調節式であり、蒸気過酸化水素が生成されている間は、システム１０を通過する所望の空気流量が維持される。蒸発器ユニット３６０からの蒸気過酸化水素は過酸化水素供給ライン５１２Ａを通って汚染除去室５００Ａに搬送される。本発明の別の実施形態によると、安全の理由のため蒸発器ユニット３６０は図３に示すように汚染除去室５００Ａより上方に配置される。この点、蒸発器ユニット３６０で蒸発しなかった過酸化水素は液体状態で残り、下方の汚染除去室５００Ａ内に滴下または流れ込む。汚染除去室への液体過酸化水素の滴下または流れ込みは汚染除去室５００Ａの目視検査で確かめられる。汚染除去室で液体過酸化水素が見つかれば、危険状態を避けるため本システムを停止する。
【００９６】
蒸気過酸化水素はマニホールド５４２に入り、そこでノズル５４４を通して物品１２上に分配される。この点、理解されるように、一旦、蒸発器３６０の定常作動が確立されると、物品１２は汚染除去室５００Ａを通って移動を開始する。
【００９７】
図面で概要を示すように、蒸気過酸化水素は上方から物品１２上に導かれる。分解装置ユニット６００Ａの送風機６３２は汚染除去室５００Ａからライン６１２を介して蒸気過酸化水素を吸引するように作動する。図６に示すように、汚染除去室から吸引された気流は分解装置６４２に押し込まれ、そこで蒸気過酸化水素は酸素と水に分解されてシステム１０から排出される。
【００９８】
以上述べたように、汚染除去室５００Ａの水蒸気および過酸化水素蒸気の濃度を所望の露点温度に維持するようにシステムを制御する本作動モードの間は、システム１０の制御装置でシステム１０内の種々のセンサを常に監視し、適量の液体過酸化水素殺菌剤が注入装置４１０に注入されていることを確認する。
【００９９】
本発明の別の側面によると、システム１０によってシステム１０内で生成された蒸気過酸化水素の量を数日毎に監視して確認する。蒸気過酸化水素（ＶＨＰ）を測定する第１の方法によると、分解装置６４２における温度降下は温度センサ６６２および６６４を使用してシステム１０により監視する。この点、蒸気過酸化水素の分解で熱が発生する。分解装置６４２における温度変化を監視することで、システムを流れる蒸気過酸化水素量の第１の目安が決定できる。
【０１００】
システム１０内の蒸気過酸化水素を測定し監視する第２の方法は蒸気過酸化水素センサ４６２または５５２を使用した測定による。
システム１０内の蒸気過酸化水素を測定し監視する第３の方法は注入装置４１０への液体殺菌剤の注入流量を監視する方法である。この点、測定された量の液体殺菌剤を注入装置４１０に指示するため質量流量計４２７の出力を監視する。過酸化水素および水の濃度は等式（１）および（２）を使用して計算される。
【０１０１】
システム１０内の蒸気過酸化水素を測定し監視する第４の方法は蒸発器プレナム３６４内の温度変化を監視する方法である。特に、蒸発器プレナム３６４内の温度センサ４５２および４５４を監視する。蒸気過酸化水素の分解で単位質量当り一定の熱量が発生するのと丁度同じように、液体過酸化水素の蒸発も温度低下を生じる一定の熱量が必要となる。蒸発器プレナム３６４内の気流における温度変化を監視することで、システム１０内の蒸気過酸化水素の量が決定できる。
【０１０２】
本発明の１つの側面によると、システム１０で前述の４つ全ての状態を監視して出力計算を互いに比較する。監視した４つのパラメーターのうちいずれか１つでも誤差の許容範囲から外れると、システム１０はシステムオペレータに対し、問題があることを警告する。
【０１０３】
システム１０内のセンサを常に監視することで、気流内の水蒸気および過酸化水素蒸気の濃度は所望の露点温度に維持される。前述したように、所望の作動露点温度は汚染除去室に入ってくる物品１２の温度より好ましくは約３０℃低いので、このような物品１２上への凝結は避けることができる。
【０１０４】
このように、本発明は特定の露点温度を維持するよう作動できるシステム１０を提供し、水蒸気または過酸化水素蒸気が物品１２上に凝結することを防止するとともに、汚染除去される物品１２に損傷を与えないように所望の作動温度を維持する。
【０１０５】
次にシステム１０を所定の注入流量に保持する第２の作動モードに注目すると、ユーザーは所望のマニホールド５４２の温度および液体殺菌剤中の過酸化水素のパーセンテージを再度入力する必要がある。この作動モードで、一旦定常流量が達成されると、注入装置４１０の注入流量が設定量で維持される。システムを流れる空気流量は所望の作動温度を維持すべく増加するが、注入流量の方はこのモードの作動中を通して一定に維持される。凝結が生じるか否かが決定ができるよう露点がユーザーに指示される。
【０１０６】
蒸気過酸化水素濃度が一定に保持される第３の作動モードにおいては、ユーザーはマニホールド５４２の所望の作動温度を入力する。一旦、定常状態の流量がシステム内で達成されると、液体過酸化水素を空気流内に注入する。前述したように、システム１０でシステム１０の蒸気過酸化水素の量を監視し、注入装置４１０のポンプ４２６の注入流量を増加または減少させて所望の蒸気過酸化水素濃度を維持する。
【０１０７】
第１の作動モードの制御方法は次のとおりに行われる。
１）ユーザーは下記を入力する。
ａ．所望の露点温度（Tdp）
ｂ．マニホールド温度
ｃ．液体殺菌剤中の過酸化水素パーセンテージ
２）下記は既知である。
【０１０８】
ａ．試験で見つけた蒸発器効率（E）（近赤外線センサ４６２を使用すると、等式（１）および（２）は過酸化水素および水の濃度を決定するのに必要ない。近赤外線センサ４６２を使用しな場合は、過酸化水素および水の濃度の計算に等式（１）および（２）を使用する。この計算ではユーザーが汚染除去システム１０の制御装置に蒸発器の効率を入力することが必要となる。）
ｂ．乾燥装置から出た気流内の水の濃度（売り手のデータまたは試験から）
３）蒸発器で生成された蒸気は液体殺菌剤と同一パーセンテージの過酸化水素を含むものと最初に仮定する。
【０１０９】
４）等式（７）を使用して殺菌剤の過酸化水素のモル分率（xp）を計算する。
５）殺菌剤の水のモル分率を計算する、xw＝1-xp
６）ユーザーが入力した露点温度で等式（５）および（６）を使用して活性度係数を計算する。
【０１１０】
７）ユーザーが入力した露点温度で等式（８）および（９）を使用して水および過酸化水素の蒸気圧を計算する。
８）等式（４）を使用して全蒸気圧を計算する。
【０１１１】
９）等式（３）を使用して過酸化水素の液体に対するガスのモル分率を決める。
１０）等式（７）を使用して計算したモル分率が等式（３）を使用して計算したモル分率に等しいか否かを決める。  
【０１１２】
１１）モル分率が許容誤差の範囲内で一致しないときは、殺菌剤（液相）中の過酸化水素のモル分率を繰り返し、前記ステップ５から１０をやり直す。解を収束するため多くの繰り返し技術を使用することができる。
【０１１３】
１２）モル分率が許容誤差の範囲内で一致するときは、等式（１１）を使用して過酸化水素の飽和濃度（Ch,sat）および水の飽和濃度（Cw,sat）を計算する。
１３）Ch,satを使用して等式（１）から殺菌剤注入流量を計算する。
【０１１４】
１４）等式（２）を使用して水の濃度（Cw）を計算する。
１５）CwとCw,saatを比較する。
１６）CwとCw,satとが許容誤差範囲内で等しくないときは、Ch,satおよびCwを使用して過酸化水素のパーセンテージを再計算する。P＝Ch,satt/（Ch,sat+Cw）１００。ステップ４から１５をやり直す。
【０１１５】
１７）CwとCw,satとが許容誤差範囲内で等しいときは、最初の注入流量を前記ステップ１５で計算したものに等しくなるように設定する。
１８）等式（１５）を使用して蒸発熱（Qvap）を計算する。
【０１１６】
１９）等式（１７）を使用して蒸発器入口空気温度（T1）を決定する。
２０）ステップ１９で計算した空気温度が下流の構成部品に対して高過ぎることがないときは、空気流量がT1で確立でき、システムが定常状態に達したあとで、過酸化水素を気流内に注入することができる。
【０１１７】
２１）空気温度が下流の構成部品に対して高過ぎるときは、温度は最大許容温度に最初設定することができる。
２２）蒸発器出口温度が所望の露点温度（Tdp）と所望の出口温度（T2）の温度差と同じ分だけ露点より高くなるまで繰り返すことによって、注入流量を決定することができる。
【０１１８】
２３）必要な露点（Tdp）および出口温度（T2）が達成されるまで漸増方法を続けることができる。
２４）制御にフィードバックが設けられる場合は、等式（１）および（２）で計算したものの代わりに過酸化水素および水の実際の濃度を使用することで露点が達成できる。
【０１１９】
第２の作動モードの制御方法は次のとおりに行われる。
１）ユーザーは下記を入力する。
ａ．所望の注入流量
ｂ．マニホールド温度
ｃ．液体殺菌剤の過酸化水素パーセンテージ
２）下記は既知である。
【０１２０】
ａ．試験で見出した蒸発器効率（E）（近赤外線センサを使用しない場合に使用される）
ｂ．乾燥装置から出た気流内の水の濃度（売り手のデータまたは試験から）
３）ユーザーが設定した注入流量に基づいて制御装置で露点を計算して表示する。
【０１２１】
４）入力した注入流量に対する露点を知ったユーザーは汚染除去される物品上に凝結を避けるため必要に応じて調節することができ、すなわち「ユーザー入力」を変更することができる。
この点、第２の作動モードにおいては露点の自動制御はない。
【０１２２】
第３の作動モードの制御戦略は次のとおりに行われる。
１）ユーザーは下記を入力する。
ａ．所望の過酸化水素濃度
ｂ．マニホールド温度
ｃ．液体殺菌剤の過酸化水素パーセンテージ
２）下記は既知である。
【０１２３】
ａ．試験で見つけた蒸発器効率（E）（近赤外線センサを使用しないとき使用される）
ｂ．乾燥装置から出た気流内の水の濃度（売り手のデータまたは試験から）
３）所望の蒸気過酸化水素濃度が達成されるまで、制御装置で液体過酸化水素の注入流量を計算し漸増する。
【０１２４】
４）制御装置で所望の過酸化水素濃度における露点を計算して表示する。
以上、本発明の特定の実施形態について記載した。この実施形態は説明のためにのみ記載したものであり、発明の精神および範囲から逸脱することなく、当分野の専門家には数多くの変更や修正を行うことができる。このような変更や修正は特許請求の範囲に記載の発明またはそれと均等な発明である限り、すべて包含されるものである。
【図面の簡単な説明】
【０１２５】
本発明はある部品とその部品の配置において具体的な形態をとり、この好ましい実施形態は明細書で詳細に記載され、明細書の一部をなす図面に示される。
【図１】図１は大容量の蒸気過酸化水素汚染除去システムの概要を示す図であり、本発明の好ましい実施形態を示す。
【図２】図２は図１に示す汚染除去システムの殺菌剤供給ユニットの概要を示す図である。
【図３】図３は図１に示す汚染除去システムの蒸発器ユニットを示す図である。
【図４】図４は図１に示す汚染除去システムの通気ユニットの概要を示す図である。
【図５】図５は図１に示す汚染除去システムの空気調節ユニットの概要を示す図である。
【図６】図６は図１に示す汚染除去システムの分解装置ユニットの概要を示す図である。
【図７】図７は図１に示す汚染除去システムの蒸発器の側面図である。
【図８】図８は図７に示す蒸発器ユニットの噴霧器の拡大図である。
【図９】図９はマニホールドおよび汚染除去室の斜視図である。
【図１０】図１０は蒸発熱（潜熱）を過酸化水素の水中濃度の関数として示すグラフである。
【図１１】図１１は過酸化水素の密度を過酸化水素の水中濃度の関数として示すグラフである。
【図１２】図１２は過酸化水素の熱容量を過酸化水素の水中濃度の関数として示すグラフである。
【図１】
2009535215.tif 000021
【図２】
2009535215.tif 000022
【図３】
2009535215.tif 000023
【図４】
2009535215.tif 000024
【図５】
2009535215.tif 000025
【図６】
2009535215.tif 000026
【図７】
2009535215.tif 000027
【図８】
2009535215.tif 000028
【図９】
2009535215.tif 000029
【図１０】
2009535215.tif 000030
【図１１】
2009535215.tif 000031
【図１２】
2009535215.tif 000032
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
物品を汚染除去する方法であって、
（ａ）汚染除去室を含む第１の通路に沿って所定温度の複数の物品を移動させ、
（ｂ）細長いプレナムと前記プレナムより下流に配置された前記汚染除去室と前記汚染除去室より下流に配置された分解装置とを含む第２の通路に沿ってキャリヤガスを搬送し、
（ｃ）前記プレナムの上流位置において、過酸化水素を蒸発させるのに十分な温度に前記キャリヤガスを加熱し、
（ｄ）前記プレナムで蒸気過酸化水素を生成するため、既知濃度の液体過酸化水素を前記プレナムの前記キャリヤガスに注入し、
（ｅ）前記汚染除去室内の前記物品を前記蒸気過酸化水素にさらし、
（ｆ）（１）前記第２の通路に沿って移動する前記キャリヤガスの容積流量と、（２）前記キャリヤガス内に注入される前記液体過酸化水素の注入流量と、（３）前記プレナムに注入された前記キャリヤガスの前記温度とを制御することで、前記蒸気過酸化水素を予め選択した温度またはその温度以上に制御し、
（ｇ）前記キャリヤガス中の蒸気過酸化水素の所定の濃度を達成するため、前記分解装置における温度変化を測定して前記キャリヤガス中の蒸気過酸化水素の濃度を決定し、同時に、前記キャリヤガス内への前記液体過酸化水素の注入流量を調節する
ステップを含むことを特徴とする方法。
【請求項２】
前記予め選択した温度は前記物品の前記所定温度より約３０℃低いことを特徴とする請求項１に記載の方法。
【請求項３】
前記細長いプレナムは前記汚染除去室より上方に配置されたことを特徴とする請求項１に記載の方法。
【請求項４】
前記第２の通路に沿って、前記キャリヤガス中の蒸気過酸化水素の前記濃度を測定するために使用できる過酸化水素センサを設け、
前記過酸化水素センサに基づいて前記キャリヤガス中の蒸気過酸化水素の前記濃度を決定する
ステップをさらに含むことを特徴とする請求項１に記載の方法。
【請求項５】
前記過酸化水素センサは赤外線（ＩＲ）センサであることを特徴とする請求項４に記載の方法。
【請求項６】
前記過酸化水素センサは近赤外線（ＩＲ）センサであることを特徴とする請求項４に記載の方法。
【請求項７】
前記過酸化水素センサは前記汚染除去室に配置されたことを特徴とする請求項４に記載の方法。
【請求項８】
前記過酸化水素センサは前記プレナムに配置されたことを特徴とする請求項４に記載の方法。
【請求項９】
前記プレナム内への前記液体過酸化水素の注入流量を測定するために使用できる質量流量計を設け、
前記注入流量に基づいて前記キャリヤガス中の過酸化水素の前記濃度を決定する
ステップをさらに含むことを特徴とする請求項１に記載の方法。
【請求項１０】
前記キャリヤガス中の過酸化水素の前記濃度は、前記液体過酸化水素が前記キャリヤガス内に注入される注入点より上流の位置と、前記液体過酸化水素が前記キャリヤガス内に注入される前記注入点より下流の位置との間における前記キャリヤガスの温度変化を測定することで決定されることを特徴とする請求項１に記載の方法。
【請求項１１】
（ａ）前記汚染除去室に第１の過酸化水素センサを設け、前記第１の過酸化水素センサに基づいて蒸気過酸化水素の前記濃度を決定する工程、
（ｂ）前記プレナムに第２の過酸化水素センサを設け、前記第２の過酸化水素センサに基づいて蒸気過酸化水素の前記濃度を決定する工程、
（ｃ）前記プレナム内への前記液体過酸化水素の注入流量を測定するため使用できる質量流量計を設け、前記質量流量に基づいて蒸気過酸化水素の前記濃度を決定する工程および、
（ｄ）前記キャリヤガス内への前記液体過酸化水素の注入点より上流の点と、前記液体過酸化水素の前記注入点より下流の点との間における前記キャリヤガスの温度変化から前記濃度を決定する工程
の少なくとも２つの工程に基づいて前記キャリヤガス中の過酸化水素の前記濃度が決定されることを特徴とする請求項１に記載の方法。
【請求項１２】
前記第２の通路に沿って間隔をあけた位置に、前記キャリヤガスの温度を測定するため使用できる複数の温度センサを設け、  
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて前記キャリヤガス中の前記蒸気過酸化水素および前記水蒸気の前記露点温度を決定し、
（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を前記予め選択した温度またはそれより低い温度の露点温度に制御する
ステップが前記ステップ（ｅ）に含まれることを特徴とする請求項１に記載の方法。
【請求項１３】
前記第２の通路に沿って、前記キャリヤガス中の蒸気過酸化水素の前記濃度および水蒸気の濃度を測定するため使用できる過酸化水素センサを設け、
前記第２の通路に沿って間隔をあけた位置に、前記キャリヤガスの温度を測定するため使用できる複数の温度センサを設け、
前記第２の通路に沿って間隔をあけた位置に、前記キャリヤガスの圧力を測定するため使用できる複数の圧力センサを設け、
前記過酸化水素センサ、前記複数の温度センサおよび前記複数の圧力センサからの読みに基づいて前記キャリヤガス中の前記蒸気過酸化水素および前記水蒸気の露点温度を決定し、
（１）前記第２の通路に沿って移動するキャリヤガスの前記容積流量と、（２）前記キャリヤガス内に注入される前記液体過酸化水素の注入流量と、（３）前記プレナム内に注入された前記キャリヤガスの前記温度とを制御することによって、前記蒸気過酸化水素を前記予め選択した温度またはそれより低い温度の露点温度に制御する
ステップが前記ステップ（ｅ）に含まれることを特徴とする請求項１に記載の方法。
【請求項１４】
物品を汚染除去する装置であって、
汚染除去室と、
汚染除去される物品を前記汚染除去質を通る第１の通路に沿って搬送するコンベヤと、
前記汚染除去室より上方に配置され前記汚染除去室に接続する蒸発ユニットと、
前記蒸発ユニットおよび前記汚染除去室を通るキャリヤガスを搬送する送風機と、
前記蒸発ユニットを流れる前記キャリヤガスを加熱する加熱手段と、
前記蒸発ユニットに流体接続された液体過酸化水素の供給源と、
前記蒸発ユニットに液体過酸化水素を注入する注入装置と
を備えたことを特徴とする装置。
【請求項１５】
前記蒸発ユニットは入口および出口を有する細長いチャンバを備え、前記出口は前記汚染除去室に流体接続され、前記出口は前記入口より下方に配置されたことを特徴とする請求項１４に記載の装置。
【請求項１６】
前記注入装置は前記細長いチャンバの中心に位置するノズルを備え、前記ノズルは液体過酸化水素の前記供給源に流体連絡し、かつ前記ノズルは前記細長いチャンバ内に噴霧ミストとして液体過酸化水素を注入するよう作動できることを特徴とする請求項１４に記載の装置。
【請求項１７】
前記加熱手段は前記蒸発ユニットに接続されたヒータであることを特徴とする請求項１４に記載の装置。
【請求項１８】
前記汚染除去室に接続された分解装置であって、そこを流れる前記キャリヤガス中の過酸化水素を分解する分解装置と、
前記汚染除去室と前記分解装置との間に配置され、前記キャリヤガスを前記汚染除去室から前記分解装置に搬送するための送風機と
をさらに備えたことを特徴とする請求項１４に記載の装置。
【請求項１９】
前記蒸発ユニットに接続された空気調節ユニットをさらに備え、前記空気調節ユニットは、
チャンバと、
前記チャンバを流れる前記キャリヤガスから汚染物を除去するため前記チャンバに接続されたフィルタと、
前記チャンバを流れる前記キャリヤガスを冷却するため前記チャンバに接続された冷却装置と、
一端が前記チャンバに接続された再生導管と、
前記チャンバから前記再生導管を通って前記キャリヤガスの一部を搬送する送風機と、
前記再生導管を流れる前記キャリヤガスの前記一部を加熱する加熱手段と、
前記チャンバを流れる前記キャリヤガスから湿気を除去するため前記チャンバと前記再生導管とに接続された乾燥剤要素と
を備えたことを特徴とする請求項１４に記載の装置。
【請求項２０】
前記乾燥剤要素は、前記乾燥剤要素の一部が前記チャンバと前記再生導管との間で移動できるように軸の回りに回転可能であることを特徴とする請求項１９に記載の装置。
【請求項２１】
液体過酸化水素の前記供給源および前記蒸発ユニットに接続された貯蔵器アセンブリをさらに備え、前記貯蔵器アセンブリは、
前記過酸化水素供給源に接続された第１の貯蔵タンクと、
前記過酸化水素供給源に接続された第２の貯蔵タンクと、
前記第１の貯蔵タンクおよび前記第２の貯蔵タンクに接続され、さらに前記蒸発ユニットにも接続された収集タンクと、
前記第１の貯蔵タンクおよび前記第２の貯蔵タンクを前記収集タンクに選択的に流体連絡させ、かつ前記第１の貯蔵タンクおよび前記第２の貯蔵タンクを液体過酸化水素の前記供給源に選択的に流体連絡させる弁手段と、
一端が前記収集タンクに接続されたベントラインであって、かつ他端が前記第１の貯蔵タンクおよび前記第２の貯蔵タンクの頂部よりも上方の位置に配置されたベントラインと、
通過する流れを制御するため前記ベントラインに配置されたベント弁と
を備えたことを特徴とする請求項１４に記載の装置。
【請求項２２】
液体過酸化水素の前記供給源から前記第１の貯蔵タンクおよび前記第２の貯蔵タンクに前記液体過酸化水素をポンプで送るポンピング手段をさらに備えたことを特徴とする請求項２１に記載の装置。
【請求項２３】
前記収集タンクは前記蒸発ユニットより上方に配置されたことを特徴とする請求項２１に記載された装置。
【請求項２４】
前記汚染除去室に接続された通気ユニットをさらに備え、前記通気ユニットは前記通気ユニットおよび前記汚染除去室を流れるガスから汚染物を除去し、前記通気ユニットは、
一端が前記汚染除去室に接続された導管と、
前記導管を通る前記ガスを前記汚染除去室に搬送する送風機と、
前記導管を流れる前記ガスから汚染物を除去するフィルタと、
前記導管を流れる前記ガスを加熱する加熱手段と
を備えたことを特徴とする請求項１４に記載の装置。
【請求項２５】
一端が前記蒸発ユニットに、他端が前記フィルタの上流位置の前記導管に接続された分岐導管と、
前記蒸発ユニットを前記フィルタおよび前記汚染除去室に選択的に流体接続するための弁手段と
をさらに備えたことを特徴とする請求項２４に記載の装置。
【請求項２６】
貯蔵器アセンブリを備えた汚染除去室内の物品を汚染除去する装置であって、前記貯蔵器アセンブリは、
過酸化水素供給源に接続された第１の貯蔵タンクと、
過酸化水素供給源に接続された第２の貯蔵タンクと、
前記第１の貯蔵タンクおよび前記第２の貯蔵タンクに接続され、さらに蒸発ユニットにも接続された収集タンクと、
前記第１の貯蔵タンクおよび前記第２の貯蔵タンクを前記収集タンクに選択的に流体連絡し、かつ前記第１の貯蔵タンクおよび前記第２の貯蔵タンクを前記液体過酸化水素供給源に選択的に流体連絡するための弁手段と、
一端が前記収集タンクに接続され、他端が前記第１の貯蔵タンクおよび前記第２の貯蔵タンクの頂部よりも上方の位置に配置されたベントラインと
流れを制御するため前記ベントラインに配置されたベント弁と
を備えたことを特徴とする装置。
【請求項２７】
液体過酸化水素の前記供給源から前記第１の貯蔵タンクおよび前記第２の貯蔵タンクに前記液体過酸化水素をポンプで送るポンピング手段をさらに備えたことを特徴とする請求項２６に記載の装置。
【国際調査報告】
2009535215.tif 000033
2009535215.tif 000034